(57)【要約】      （修正有）【課題】ホームページ上で動画を利用して宣伝広告活動等する場合に、動画の管理を簡略化できるようにする動画提供方法を提供する。【解決手段】ユーザ端末３Ａ、３Ｂに動画を提供する動画提供方法であって、ユーザ端末３Ａ、３Ｂからのコンテンツサーバ２Ａ、２Ｂへのアクセスにより、コンテンツサーバ２Ａ、２Ｂによる少なくとも動画を表示する動画表示領域を備えたホームページの情報をコンテンツサーバ２Ａ、２Ｂからユーザ端末３Ａ、３Ｂに送出するコンテンツサーバからの情報提供ステップと、情報提供ステップによりホームページの情報を取得したユーザ端末３Ａ、３Ｂからの動画管理サーバ４へのアクセスにより、動画表示領域への表示に供する動画を、ユーザ端末３Ａ、３Ｂに動画管理サーバ４から提供する動画管理サーバからの情報提供ステップとを備える。ホームページは動画表示領域とコンテンツ表示領域とを備える。【選択図】図１
2018010645.tif 000002
【特許請求の範囲】
【請求項１】
ユーザ端末に動画を提供する動画提供方法であって、
ユーザ端末からのコンテンツサーバへのアクセスにより、前記コンテンツサーバによるホームページであって、少なくとも動画を表示する動画表示領域を備えたホームページの情報を前記コンテンツサーバから前記ユーザ端末に送出するコンテンツサーバからの情報提供ステップと、
前記情報提供ステップにより前記ホームページの情報を取得した前記ユーザ端末からの動画管理サーバへのアクセスにより、前記動画表示領域への表示に供する動画を、前記ユーザ端末に前記動画管理サーバから提供する動画管理サーバからの情報提供ステップとを備え、
前記動画管理サーバが、複数の前記コンテンツサーバのホームページによる前記ユーザ端末からのアクセスに対して、前記動画を提供し、
前記ホームページは前記動画表示領域とコンテンツ表示領域とを備え、前記動画表示領域の表示が終了したときに、前記コンテンツ表示領域を拡大表示する、動画提供方法。
【請求項２】
ユーザ端末に動画を提供する動画提供方法であって、
ユーザ端末からのコンテンツサーバへのアクセスにより、前記コンテンツサーバによるホームページであって、少なくとも動画を表示する動画表示領域を備えたホームページの情報を前記コンテンツサーバから前記ユーザ端末に送出するコンテンツサーバからの情報提供ステップと、
前記情報提供ステップにより前記ホームページの情報を取得した前記ユーザ端末からの動画管理サーバへのアクセスにより、前記動画表示領域への表示に供する動画を、前記ユーザ端末に前記動画管理サーバから提供する動画管理サーバからの情報提供ステップとを備え、
前記動画管理サーバが、複数の前記コンテンツサーバのホームページによる前記ユーザ端末からのアクセスに対して、前記動画を提供し、
前記ホームページは前記動画表示領域とコンテンツ表示領域とを備え、前記動画表示領域を前記コンテンツ表示領域と一体にスクロールする、動画提供方法。
【請求項３】
ユーザ端末に動画を提供する動画提供方法であって、
ユーザ端末からのコンテンツサーバへのアクセスにより、前記コンテンツサーバによるホームページであって、少なくとも動画を表示する動画表示領域を備えたホームページの情報を前記コンテンツサーバから前記ユーザ端末に送出するコンテンツサーバからの情報提供ステップと、
前記情報提供ステップにより前記ホームページの情報を取得した前記ユーザ端末からの動画管理サーバへのアクセスにより、前記動画表示領域への表示に供する動画を、前記ユーザ端末に前記動画管理サーバから提供する動画管理サーバからの情報提供ステップとを備え、
前記動画管理サーバが、複数の前記コンテンツサーバのホームページによる前記ユーザ端末からのアクセスに対して、前記動画を提供し、
前記ホームページは前記動画表示領域とコンテンツ表示領域とを備え、前記動画表示領域の前記動画が終了したときに、前記動画を静止画像に切り替える、動画提供方法。
【請求項４】
前記動画管理サーバが、複数の前記コンテンツサーバにより取得される複数の前記ホームページの前記動画表示領域への表示に供する動画を一元管理する、請求項１から３のいずれか１項に記載の動画提供方法。
【請求項５】
前記動画管理サーバは、複数の前記コンテンツサーバで許可された動画のみを、対応する前記コンテンツサーバに提供し、且つ前記動画の提供主体から許可された前記コンテンツサーバに対してのみに、対応する動画を提供する請求項４に記載の動画提供方法。
【請求項６】
前記動画管理サーバからの情報提供ステップは、
前記ユーザ端末のアクセスに供したコンテンツサーバのホームページに基づいて、対応する動画を選択的に前記ユーザ端末に提供する
請求項１から５のいずれか１項に記載の動画提供方法。
【請求項７】
前記動画管理サーバへのアクセスに供する前記動画管理サーバのアドレスを、前記動画管理サーバから前記コンテンツサーバに通知するアドレス通知ステップを備え、
前記コンテンツサーバからの情報提供ステップは、
前記アドレス通知ステップで通知されたアドレスを前記ユーザ端末に通知して、前記ユーザ端末により前記動画管理サーバをアクセス可能に設定する
請求項１から６のいずれか１項に記載の動画提供方法。
【請求項８】
前記ユーザ端末は、
事前に実装したアプリケーションプログラムにより、前記コンテンツサーバをアクセスし、前記コンテンツサーバからの情報提供ステップにより前記ホームページの情報を取得し、
前記アプリケーションプログラムにより、前記動画管理サーバをアクセスし、前記動画管理サーバからの情報提供ステップにより前記動画を取得する
請求項１から６のいずれか１項に記載の動画提供方法。
【発明の詳細な説明】
【技術分野】
【０００１】
本発明は、インターネット等のネットワークを介して、コマーシャル等の動画を提供するシステムに関するものである。
【背景技術】
【０００２】
従来、インターネットは、種々の情報提供に利用されており、またこの情報提供に係る各種ホームページ上では、例えばバナー広告のように、文字表記、イラスト、静止画等を使用して宣伝広告活動が図られている。このようなインターネットによる情報提供に関して、特許文献１では、インターネット上で映画等の映像コンテンツを提供する際にコマーシャル映像を併せて提供するようにして、このコマーシャル映像をユーザに応じて選択する工夫が提案されている。
【先行技術文献】
【特許文献】
【０００３】
【特許文献１】特開２００１−３０９３４５号公報
【発明の概要】
【発明が解決しようとする課題】
【０００４】
このようなホームページ上における広告宣伝活動に動画を使用すれば、一段と宣伝広告活動の効果を図ることができると考えられる。また宣伝広告に利用するホームページについても、一段と魅力を向上できると考えられる。
【０００５】
しかしながらホームページ上で動画を利用する場合には、その管理が煩雑になる問題がある。具体的に、動画を利用する場合、各種の権利関係を調整することが必要であり、また利用料の支払い管理も煩雑になる。また動画にあっては、直ぐに飽きられる場合もあり、また同じ動画を提供し続けると、却ってホームページの魅力が損なわれる場合もあり、これらにより提供する動画を適宜更新することも必要になる。またホームページ上で動画を使用する場合には、背景音楽に関する各種権利の調整、利用料の調整等も必要になる。
【０００６】
本発明は、これらの点を考慮してなされたもので、ホームページ上で動画を利用して宣伝広告活動等する場合に、動画の管理を簡略化することができる動画提供方法を提案することを目的とする。
【課題を解決するための手段】
【０００７】
（１）  ユーザ端末に動画を提供する動画提供方法であって、
ユーザ端末からのコンテンツサーバへのアクセスにより、前記コンテンツサーバによるホームページであって、少なくとも動画を表示する動画表示領域を備えたホームページの情報を前記コンテンツサーバから前記ユーザ端末に送出するコンテンツサーバからの情報提供ステップと、
前記情報提供ステップにより前記ホームページの情報を取得した前記ユーザ端末からの動画管理サーバへのアクセスにより、前記動画表示領域への表示に供する動画を、前記ユーザ端末に前記動画管理サーバから提供する動画管理サーバからの情報提供ステップとを備え、
前記動画管理サーバが、複数の前記コンテンツサーバのホームページによる前記ユーザ端末からのアクセスに対して、前記動画を提供する動画提供方法。
【０００８】
（１）によれば、複数のコンテンツサーバによるホームページで動画を表示するようにして、この動画を各コンテンツサーバで個々に管理することなく、動画管理サーバでまとめて一元管理することができる。これにより動画の管理を簡略化することができる。また動画管理サーバから提供される動画は、コンテンツサーバに係るレイアウトにより表示することができ、恰もコンテンツサーバ側で動画を管理、提供しているかの印象をユーザに与えることができる。
【０００９】
（２）  （１）において、
前記動画管理サーバからの情報提供ステップは、
前記ユーザ端末のアクセスに供したコンテンツサーバのホームページに基づいて、対応する動画を選択的に前記ユーザ端末に提供する動画提供方法。
【００１０】
（２）によれば、コンテンツサーバに応じて、適切に対応する動画をユーザに提供することができる。
【００１１】
（３）  （１）又は（２）において、
前記動画管理サーバへのアクセスに供する前記動画管理サーバのアドレスを、前記動画管理サーバから前記コンテンツサーバに通知するアドレス通知ステップを備え、
前記コンテンツサーバからの情報提供ステップは、
前記アドレス通知のステップで通知されたアドレスを前記ユーザ端末に通知して、前記ユーザ端末により前記動画管理サーバをアクセス可能に設定する動画提供方法。
【００１２】
（３）によれば、例えばホームページの表示を制御する情報を記述した例えばＨＴＭＬファイル等の表示制御ファイルの記述により、動画管理サーバにアクセスして、コンテンツサーバにより設定された動画表示領域に表示する動画を取得することができる。
【００１３】
（４）  （１）又は（２）において、
前記ユーザ端末は、
事前に実装したアプリケーションプログラムにより、前記コンテンツサーバをアクセスし、前記コンテンツサーバからの情報提供ステップにより前記ホームページの情報を取得し、
前記アプリケーションプログラムにより、前記動画管理サーバをアクセスし、前記動画管理サーバからの情報提供ステップにより前記動画を取得する動画提供方法。
【００１４】
（４）によれば、事前に実装されたアプリケーションプログラムによりコンテンツサーバをアクセスする場合に、このアプリケーションプログラムに基づいて動画管理サーバにアクセスして、コンテンツサーバにより設定された動画表示領域に表示する動画を取得することができる。
【発明の効果】
【００１５】
本発明によれば、ホームページ上で動画により宣伝広告活動する場合に、動画の管理を簡略化することができる。
【図面の簡単な説明】
【００１６】
【図１】本発明の第１実施形態に係る動画提供システムを示すブロック図である。
【図２】図１の動画提供システムにおけるユーザ端末の表示画面を示す図である。
【図３】図１の動画提供システムにおける処理手順を示すフローチャートである。
【発明を実施するための形態】
【００１７】
以下、本発明の実施形態について図面を参照しながら詳述する。
【００１８】
〔第１実施形態〕
図１は、本発明の第１実施形態に係る動画提供システムを示すブロック図である。この動画提供システム１は、インターネット等のネットワークを介してコンテンツサーバ２Ａ、２Ｂから提供されるホームページをユーザ端末３Ａ、３Ｂに提供し、これによりコンテンツサーバ２Ａ、２Ｂの運営主体の意図する情報をユーザに提供する。またさらに動画提供システム１は、このコンテンツサーバ２Ａ、２Ｂによるホームページ上で、動画管理サーバ４から提供される動画をユーザに提供し、コンテンツサーバ２Ａ、２Ｂにより提供されるホームページ上でこの動画により宣伝広告活動を実行する。
【００１９】
ここでユーザ端末３Ａ、３Ｂは、インターネット等のネットワークに接続可能な情報機器であり、より具体的には、スマートフォン、タブレットパソコン等の情報携帯端末である。ユーザ端末３Ａ、３Ｂは、ユーザの操作によりコンテンツサーバ２Ａ、２Ｂに接続し、コンテンツサーバ２Ａ、２Ｂにより提供されるホームページの情報を取得する。ここでこのホームページの情報は、当該ホームページを表示するための情報であり、ホームページの表示を制御する情報を記述した例えばＨＴＭＬファイル等の表示制御ファイル、表示に供する各パーツのファイル等である。ユーザ端末３Ａ、３Ｂは、表示制御ファイルの記述によりさらに動画管理サーバ４に接続し、動画管理サーバ４とのデータ通信により動画ファイルを取得してユーザに提供する。
【００２０】
コンテンツサーバ２Ａ、２Ｂは、企業、組織、個人等がインターネット上で展開するホームページのサーバであり、ユーザ端末３Ａ、３Ｂからの要求により、このホームページを表示するための情報をユーザ端末３Ａ、３Ｂに提供する。これによりコンテンツサーバ２Ａ、２Ｂは、このホームページを表示するための情報により提供される表示制御ファイルにより、ユーザ端末３Ａ、３Ｂで所望のレイアウトによりホームページを表示する。
【００２１】
図２（Ａ）、（Ｂ）、（Ｃ）は、この表示制御ファイルの記述によるホームページのレイアウトを示す図である。図２（Ａ）は、ユーザ端末３Ａ、３Ｂの表示画面の最上段に、ホームページに係るメニュー表示領域が設けられ、このメニュー表示領域に、ホームページのタイトル、後述するコンテンツ表示領域の操作に係るボタン（例えばページ送り、ページ戻し、スクロール等である）が表示される。
【００２２】
続いてこの図２（Ａ）の例では、動画管理サーバ４から取得した動画を表示する動画表示領域が設けられる。続いてこのホームページで提供するコンテンツを表示するコンテンツ表示領域が設けられ、このホームページでユーザに提供する各種の情報がこのコンテンツ表記領域で表示される。より具体的に、例えばこのホームページがニュースを提供するホームページである場合、このコンテンツ表示領域にニュースの各タイトルが順次表示される。ユーザ端末３Ａ、３Ｂは、メニュー表示領域のユーザの操作により、又はコンテンツ表示領域に係るユーザの操作により、制御ファイルの記述に従って、このコンテンツ表示領域をページ送り又はページ戻しし、またコンテンツ表示領域をスクロールさせる。またコンテンツ表示領域の操作により、同様に、コンテンツ表示領域をスクロールさせる。またコンテンツ表示領域の操作に応動してコンテンツサーバ２Ａ、２Ｂをアクセスし、ホームページの表示を切り替える。
【００２３】
図２（Ｂ）の例は、動画表示領域を縮小することによりコンテンツ表示領域を拡大すると共に、動画表示領域の右側に領域を確保し、この領域を静止画表示領域ＡＲＳに設定した例である。ここでこの静止画表示領域ＡＲＳには、動画表示領域に表示する動画に関連する静止画像を表示しても良く、この場合には動画表示領域で表示する動画と同様に、動画管理サーバ４から対応する静止画ファイルを取得する。またこの静止画表示領域のユーザによる操作により、動画表示領域で表示する動画を、この静止画表示領域ＡＲＳで表示した静止画に対応する動画に切り替える。また動画表示領域に表示する動画と何ら無関係の静止画を静止画表示領域ＡＲＳで表示してもよい。
【００２４】
これに対して図２（Ｃ）の例は、動画表示領域を縮小することによりコンテンツ表示領域を拡大すると共に、動画表示領域の両側に帯状に黒表示の領域を確保した例である。なおこれら図２（Ａ）〜（Ｃ）の例では、コンテンツ表示領域と動画表示領域とを上下で入れ替えて配置してもよい。
【００２５】
動画表示領域では、エンドレスにより１つの動画を繰り返し表示するようにしてもよく、異なる動画を選択して順次表示してもよく、また予定した動画の終了により静止画像に表示を切り替えるようにしても良い。またこのような表示を一定時間実行するようにして、時間の経過により、動画表示領域の表示を終了して、コンテンツ表示領域を拡大表示するようにしてもよい。また同様に、予定した動画の終了により、動画表示領域の表示を終了して、コンテンツ表示領域を拡大表示するようにしてもよい。
【００２６】
また動画表示領域のユーザ操作により対応するホームページにジャンプしてもよい。具体的には例えば動画表示領域にコマーシャル動画を表示している場合に、ユーザ操作によりこのコマーシャルに係る企業のホームページ、コマーシャルに係る製品のホームページにジャンプし、当該ホームページを全画面で表示する場合である。
【００２７】
またコンテンツ表示領域のみのスクロールに代えて、動画表示領域をコンテンツ表示領域と一体にスクロールさせてもよく、さらにこれに加えてメニュー表示領域を一体にスクロールさせてもよい。またこのように動画表示領域をコンテンツ表示領域と一体にスクロールさせる場合にあって、下方向に表示画面をスクロールさせると、動画表示領域が隠れて表示されなくなる。この場合に、一定時間の経過により動画表示領域の表示を終了する場合、下方向に表示画面をスクロールさせた後、上方向にスクロールすると、動画表示領域の表示が終了している場合もあり、この場合、結局、動画表示領域で表示していた動画を確認できなくなる。そこでこのような場合には、上方向のスクロールにより動画表示領域で改めて動画を表示してもよい。なお動画表示領域、コンテンツ表示領域の設定は、これら図２の例に限らず、種々のレイアウトを広く適用することができる。
【００２８】
このようにホームページに係る表示制御ファイルで動画表示領域を確保するようにして、コンテンツサーバ２Ａ、２Ｂは、この表示制御ファイルに、動画表示領域での表示に供するファイルの格納先アドレス（ＵＲＬである）を記述してユーザ端末３Ａ、３Ｂに通知する。ここでこのＵＲＬは、動画管理サーバ４から事前にコンテンツサーバ２Ａ、２Ｂに通知される。またこのアドレスのユーザ端末３Ａ、３Ｂへの通知は、例えばＪａｖａｓｃｒｉｐｔのタグにより実行され、これによりコンテンツサーバ２Ａ、２Ｂでは動画管理サーバ４からの通知の記述をそのまま制御ファイルに追加するだけの簡易な処理により、ユーザ端末３Ａ、３Ｂで動画管理サーバ４をアクセスできるように設定される。
【００２９】
動画管理サーバ４は、ユーザ端末３Ａ、３Ｂに提供する動画ファイルを管理するコンピュータである。動画管理サーバ４は、この動画提供システム１の利用をコンテンツサーバ２Ａ、２Ｂにより開始する場合に、動画ファイルの格納先のアドレスをコンテンツサーバ２Ａ、２Ｂに通知する。またその後、必要に応じて、定期的に、又は不定期にこのアドレスをコンテンツサーバ２Ａ、２Ｂ通知する。
【００３０】
またこのアドレスの通知に基づくユーザ端末３Ａ、３Ｂからのアクセスにより、対応する動画ファイルをユーザ端末３Ａ、３Ｂに通知する。この動画ファイルの通知の際に、例えばユーザ端末３Ａ、３Ｂからのアクセスに係る制御ファイルの情報を取得することにより、動画管理サーバ４へのアクセスが何れのコンテンツサーバ２Ａ、２Ｂに基づくものか判断し、これによりコンテンツサーバ２Ａ、２Ｂに対応する動画ファイルをユーザ端末３Ａ、３Ｂに提供する。なおコンテンツサーバ２Ａ、２Ｂの判断は、コンテンツサーバ２Ａ、２ＢのＵＲＬをユーザ端末３Ａ、３Ｂから取得して判断してもよく、またホームページに係る管理ファイルのファイル名により判断しても良く、種々の判断手法を広く適用することができる。これにより動画管理サーバ４は、例えば特定企業のホームページからのアクセスに対して、競合企業のコマーシャル映像等を提供しないようにする。またこれとは逆に、例えばコンテンツサーバ２Ａ、２Ｂをアクセスするユーザ層に好まれる動画を選択的に提供する。
【００３１】
より具体的に、動画管理サーバ４は、コンテンツサーバ２Ａ、２Ｂの運営主体より許可された動画のみ対応するコンテンツサーバ２Ａ、２Ｂに提供するようにし、またこれとは逆に、動画の提供主体から許可されたコンテンツサーバ２Ａ、２Ｂに対してのみに対応する動画を提供する。このため動画管理サーバ４は、コンテンツサーバ２Ａ、２Ｂの識別情報であるサーバＩＤ、動画ファイルの識別情報である動画ＩＤを設定して動画ファイルを管理し、このサーバＩＤ、動画ＩＤに基づいてコンテンツサーバ２Ａ、２Ｂに対応する動画ファイルを提供する。
【００３２】
また動画管理サーバ４は、このようなユーザ端末３Ａ、３Ｂへの動画ファイルの提供を記録して保持し、この記録によりコンテンツサーバ２Ａ、２Ｂで提供する動画の利用料に係る処理等を一元管理できるようにする。また定期的に、又は不定期に、ユーザ端末３Ａ、３Ｂに提供する動画ファイルを変更する。これらにより動画管理サーバ４は、複数のコンテンツサーバで提供する動画ファイルを一元的に管理する。
【００３３】
図３は、この動画提供システム１に係る一連の処理手順を示すフローチャートである。この動画提供システム１では、コンテンツサーバ２Ａ、２Ｂにより動画の提供を開始する場合に、動画ファイルの格納先のアドレスをコンテンツサーバ２Ａ、２Ｂに通知する（ＳＰ１−ＳＰ２）。またその後、必要に応じて定期的に、又は不定期に、アドレスを通知する。
【００３４】
これによりコンテンツサーバ２Ａ、２Ｂは、このアドレスを記録して保持し、ユーザ端末３Ａ、３Ｂからのホームページのアクセスにより（ＳＰ３）、動画ファイルのアドレスを設定したホームページのデータをユーザ端末３Ａ、３Ｂにダウンロードする（ＳＰ４）。ユーザ端末３Ａ、３Ｂでは、このダウンロードしたデータを処理することにより、この場合、Ｊａｖａｓｃｒｉｐｔの動作を立ち上げて動画管理サーバ４をアクセスし（ＳＰ５）、この動画管理サーバ４とのデータ交換によりアクセスに係るコンテンツサーバ２Ａ、２Ｂを動画管理サーバ４で確認し、この確認結果に基づき、対応する動画ファイルを動画管理サーバ４からユーザ端末３Ａ、３Ｂに配信してユーザに提供する。
【００３５】
このように複数のコンテンツサーバで提供する動画ファイルを動画管理サーバ４により一元管理することにより、コンテンツサーバの運営主体においては、この動画に係る種々の調整、管理を省略することができる。また、適宜、ユーザ端末に提供する動画を更新することができる。これらにより動画の管理を簡略化することができる。
【００３６】
またこのようにしてコンテンツサーバのホームページで提供する動画にあっては、このホームページのレイアウトにより表示されることにより、恰も、コンテンツサーバの管理主体によるホームページの作製により提供されているようにユーザ端末のユーザに認識させることができ、これによりこのように複数のコンテンツサーバに係る動画ファイルを一元管理する場合にあっても、各ホームページの特徴を損なうことなく、動画を提供することができる。
【００３７】
これによりホームページの運営主体は、手軽に動画を提供することができ、一段とホームページの魅力を向上することができる。また動画管理サーバ４による動画の管理により、定期的に、又は不定期に、ユーザ端末３Ａ、３Ｂに提供する動画を変更できることにより、ユーザに飽きられることなく、ホームページの魅力を継続することができる。
【００３８】
〔第２実施形態〕
この実施形態では、ダウンロード等により事前にユーザ端末にアプリケーションプログラムを実装するようにして、このアプリケーションプログラムの実行によりコンテンツサーバをアクセスしてホームページを表示する。この実施形態では、このホームページの表示をアプリケーションプログラムに従って実行し、図２について上述した設定によりホームページを表示する。またこのアプリケーションプログラムに基づいて、動画管理サーバをアクセスして動画ファイルを取得し、この動画ファイルによる動画を動画表示領域で表示する。
【００３９】
この実施形態のように、アプリケーションプログラムに基づいて動画管理サーバから動画ファイルを取得してユーザに提供するようにしても、第１実施形態と同様の効果を得ることができる。
【００４０】
〔第３実施形態〕
この実施形態では、動画管理サーバ４において、さらにユーザ端末３Ａ、３Ｂからユーザ端末の識別情報を取得し、この識別情報に基づいてユーザ端末３Ａ、３Ｂのユーザを識別し、この識別結果に基づいてユーザ端末３Ａ、３Ｂに提供する動画をさらに選択する。この実施形態では、このユーザ端末３Ａ、３Ｂに関する構成が異なる点を除いて、第１実施形態又は第２実施形態と同一に構成される。
【００４１】
ここでこのユーザの識別は、ユーザ端末３Ａ、３Ｂの契約時に取得したユーザの属性情報（例えば生年月日、性別、住所等である）、ソーシャネットワーク等を巡回して取得されるユーザ端末３Ａ、３Ｂに係る情報（例えば趣味、嗜好等である）に基づいて実行される。これによりこの実施形態では、一段と適切な動画をユーザに提供する。
【００４２】
なおこれにより動画管理サーバは、このユーザの識別により対応する動画を選択可能に、属性情報により動画ファイルを管理できるように、属性情報の記録と関連付けて動画ファイルを記録して保持する。またこの属性情報により対応する動画ファイルを選択してユーザ端末３Ａ、３Ｂに提供する。
【００４３】
〔他の実施形態〕
以上、本発明の実施に好適な具体的な構成を詳述したが、本発明は、本発明の趣旨を逸脱しない範囲で、上述の実施形態を種々に組み合わせ、さらには上述の実施形態の構成を種々に変更することができる。
【００４４】
すなわち上述の実施形態では、表示した動画のユーザ操作により対応する企業のホームページ、製品のページ等にアクセスする場合について述べたが、本発明はこれに限らず、
一旦、動画の表示を全画面表示に切り替えた後、ユーザ操作により対応する企業のホームページ、製品のページ等にアクセスするようしてもよい。またこのような企業、製品へのページの切替に代えて、例えば連続するコマーシャルを表示する場合のように、関連する動画ファイルに表示を切り替えるようにしてもよい。またこのように動画を表示する場合にもコンテンツサーバによるレイアウトにより動画を表示するようにしてもよい。
【符号の説明】
【００４５】
１  動画提供システム
２Ａ、２Ｂ  コンテンツサーバ
３Ａ、３Ｂ  ユーザ端末
【図１】
2018010645.tif 000003
【図２】
2018010645.tif 000004
【図３】
2018010645.tif 000005